(57)【要約】【課題】特別の回路の追加を必要とせず、消費電力の増加を防止するとともに、液晶の充電時間を減らすことなく、フリッカーの発生を抑制する液晶表示装置を提供する。【解決手段】液晶表示パネルの対向する両辺の辺端部近傍に、走査信号を出力して上記走査信号線を駆動し得る第１駆動回路と第２駆動回路とが上記液晶表示パネルを挟むように設けられており、上記第１駆動回路および第２駆動回路は、同じｎライン目の上記走査信号線を駆動するための走査信号を１フレーム毎に交互に出力することにより、１フレーム毎に交互に上記薄膜トランジスタ素子を駆動するアクティブマトリクス型液晶表示装置によれば、フリッカーを低減させることができ、表示品位の向上を図ることができる。【選択図】  図１
2004341414.tif 000002
【特許請求の範囲】
【請求項１】
一対の基板間に液晶が封入され、複数の画素電極と、該画素電極にデータ信号を供給する映像信号線と、該映像信号線に交差して設けられた複数の走査信号線とを備え、上記走査信号線、上記映像信号線、及び上記画素電極がゲート、ソース、およびドレインにそれぞれ接続された薄膜トランジスタ素子を上記交差部に形成された液晶表示パネルを備えるアクティブマトリクス型液晶表示装置において、
上記液晶表示パネルの対向する両辺の辺端部近傍に、走査信号を出力して上記走査信号線を駆動し得る第１駆動回路と第２駆動回路とが上記液晶表示パネルを挟むように設けられており、
上記第１駆動回路および第２駆動回路は、同じｎライン目の上記走査信号線を駆動するための走査信号を１フレーム毎に交互に出力することにより、１フレーム毎に交互に上記薄膜トランジスタ素子を駆動することを特徴とする液晶表示装置。
【請求項２】
上記第１駆動回路および第２駆動回路が設けられている液晶表示パネルの対向する両辺とは、上記液晶表示パネルにおける走査信号線の延長方向に対して垂直な両辺であることを特徴とする請求項１に記載の液晶表示装置。
【請求項３】
上記第１駆動回路および第２駆動回路は、上記薄膜トランジスタ素子がＯＮ状態、ＯＦＦ状態、および電気的に切り離される状態の３出力の状態のうちいずれか１つの状態を取り得るように、走査信号の出力を制御することを特徴とする請求項１または２記載の液晶表示装置。
【請求項４】
上記第１駆動回路および第２駆動回路は、どちらか一方の駆動回路が上記走査信号線と電気的に接続されて走査信号を出力する場合、他方の駆動回路は上記走査信号線と電気的に切り離されることを特徴とする請求項１〜３のいずれか１項に記載の液晶表示装置。
【発明の詳細な説明】
【０００１】
【発明の属する技術分野】
本発明は、マトリクス型液晶表示装置等の液晶表示装置に関し、特に、液晶と組み合わせて画像を提供する、透明な絶縁性基板上に多数のＴＦＴ素子がマトリクス状に配されたアクティブマトリクス型液晶表示装置に関するものである。
【０００２】
【従来の技術】
近年、液晶表示装置は、薄型、軽量、低消費電力等の特徴を有し、多く利用されるようになってきている。その中でも、特に表示画素毎（各絵素毎）に薄膜トランジスタ（Ｔｈｉｎ  Ｆｉｌｍ  Ｔｒａｎｓｉｓｔｏｒ、以下、ＴＦＴと称す）等のスイッチング素子が設けられた液晶表示装置（いわゆるアクティブマトリクス型液晶表装置）は、上記特徴に加え、表示画素数が増大しても隣接表示画素間でのクロストークのない優れた表示画像を得ることができ、高品位の映像を提供できることから、ＯＡ、ＡＶ用の表示装置として注目されている。
【０００３】
このようなアクティブマトリクス型液晶表示装置の一般的な構成の概略を以下に説明する。アクティブマトリクス型液晶表示装置は、図６に示すように、液晶表示パネル１および駆動回路部からその主要部が構成されており、液晶表示パネル１は一対の電極基板間に液晶組成物が保持され、各電極基板の外表面にはそれぞれ偏光板が貼り付けられている。
【０００４】
また、一方の電極基板であるＴＦＴアレイ基板は、ガラスなどの透明な絶縁性基板１００上に複数本の映像信号線（以下、ソースバスライン）Ｓ（１）、Ｓ（２）、…Ｓ（ｉ）、…Ｓ（Ｎ）、及び走査信号線（以下、ゲートバスライン）Ｇ（１）、Ｇ（２）…Ｇ（ｊ）、…Ｇ（Ｍ）、がマトリクス状に形成されている。そして、これらソースバスラインとゲートバスラインとの交差部ごとに、画素電極１０３に接続されたＴＦＴからなるスイッチング素子１０２が形成されており、これらの上をほぼ全面にわたって覆うように配向膜が設置されて、ＴＦＴアレイ基板が形成されている。
【０００５】
一方、他の電極基板である対向基板は、ＴＦＴアレイ基板と同様にガラスなどの透明な絶縁性基板上に、全面にわたって対向電極１０１、配向膜が順次積層されて成っている。そして、このようにして構成される液晶表示パネル１の各走査信号線に接続されるゲート電極駆動回路（ゲートドライバ）３００、各信号線に接続されるソース電極駆動回路２００、および対向電極に接続される対向電極駆動回路ＣＯＭによって上記駆動回路部は構成されている。
【０００６】
すなわち、液晶表示パネル１はガラス等の透光性の絶縁材料からなる２枚の基板１００で挟持された液晶層と、表示面の裏側に光を照射する手段として、少なくとも液晶層に均一に光が照射されるように、光源と光を液晶層の全体に行き渡らせ、かつその光量が一定になるように制御された導光板とからなっており、一方の基板にはゲートバスラインＧおよびソースバスラインＳが互いに直交し、マトリクス状に互いに電気的に絶縁を持った形で高密度に配線され、各交点近傍には、ＴＦＴ素子１０２、画素電極（以下、絵素電極）１０３からなる画素が各々マトリクス内に設けられ、それぞれのＴＦＴ素子１０２には、ゲートバスラインＧ、ソースバスラインＳ、絵素電極１０３が電気的に接続されているともいえる。
【０００７】
また、他方の基板には、上記透明絵素電極に相対して設けられた対向電極１０１が、全面ベタパターンに設けられており、２枚の基板は周辺部を封止剤で接着し、その間に液晶層を挟持している。
【０００８】
上記のようなアクティブマトリックス型液晶表示装置は、まず、パソコン等の信号発生装置から出力される任意の表示データ、およびその表示データに同期した形で出力される同期信号を受取り、内部にて当該液晶表示装置に適した信号に変換を行ない、次段のゲート電極駆動回路３００、ソース電極駆動回路２００、および、対向電極駆動回路ＣＯＭに所定の信号が供給されることになる。
【０００９】
ここで、上記ゲート電極駆動回路３００は、それぞれのゲートバスラインＧに順次に電圧を印加していくものである。上記従来のアクティブマトリックス型液晶表示装置において、液晶表示パネル内部の特定の位置の絵素電極にかかるゲート電極駆動回路３００（ゲートドライバ）の出力波形の変化を図４（ａ）〜（ｃ）に示す。すなわち、図４（ａ）〜（ｃ）はある特定のゲートバスラインの出力波形が液晶パネル内部で遅延していく様子を示す図である。なお、図４（ａ）は、ゲート電極駆動回路（ゲートドライバ）３００出力側のゲート出力波形を示す図である。図４（ｂ）は、パネル中間でのゲート遅延波形を示す図である。図４（ｃ）は、ゲート電極駆動回路（ゲートドライバ）３００出力反対側のゲート遅延波形を示す図である。
【００１０】
まず、図４（ａ）に示すように、ゲートバスラインに接続されているゲート電極駆動回路３００出力側のゲートＯＮ出力２７は、液晶表示パネル１内部での配線抵抗および寄生容量の影響をほとんど受けず、波形に遅延は生じていない。しかし、図４（ｂ）に示すように、液晶表示パネル１の中間地点でのゲートＯＮ出力波形２８、および図４（ｃ）に示すゲート電極駆動回路３００出力と反対側となる地点でのゲートＯＮ出力波形２９は、液晶表示パネル１内部の配線抵抗および寄生容量の影響を受け、徐々に波形が変化し遅延している。
【００１１】
また、図５に一般的なアクティブマトリックス型液晶表示装置におけるＴＦＴ素子周りの等価回路ブロック図を示す。同図において、あるｎライン目のゲートバスラインとあるｍライン目のソースバスラインのＴＦＴ素子および対向電極に印加される電圧の状態を見ていくと、ｎライン目のゲートバスライン４３とｍライン目ソースバスラインの交差する部分に電気的に接続されたＴＦＴ素子１０２が配されている。
【００１２】
当該ＴＦＴ素子１０２がｎライン目のゲートバスラインからＴＦＴ  ＯＮ信号を受け取ると、電極Ｇ４９は、ＴＦＴ素子１０２を介して、電極Ｓ５０と電極Ｄ５１間を導通状態にする。
【００１３】
その際、ｍライン目のソースバスライン４２から送られる任意の電位が、電極Ｓ５０を介して電極Ｄに伝わり、液晶４６間および補助容量４７間に印加される。
【００１４】
所定の電圧が、液晶４６および補助容量４７間に印加された後、ｎライン目のゲートバスライン４３は、再びＯＦＦ信号状態に戻り、ＯＦＦ信号を受け取った電極Ｇ４９は直ちに、ＴＦＴ素子１０２を介して、電極Ｓ５０と電極Ｄ５１間を不通状態とし、液晶４６および補助容量４７には、所定の電位が保持される。
【００１５】
しかしながら、ＴＦＴ素子１０２には、寄生容量が存在しており、電極Ｄ５１に関わる容量成分をαとすると、一般的に次式（１）で示される。
【００１６】
【数１】
2004341414.tif 000003
【００１７】
ここで、Ｃｇｄ４５は、ＴＦＴ素子１０２における電極Ｇ４９と電極Ｄ５１との間に発生する寄生容量であり、Ｃｃｓは補助容量４７の容量成分、Ｃｌｃは液晶４６の容量成分である。
【００１８】
これが、ゲートバスライン信号がＯＮ状態からＯＦＦ状態に変化する際に、その電位差をΔＶｇとすると、電極Ｄ  ５１の電位に影響を与え、その電位差をΔＶとすると、一般的に次式（２）で示される。
【００１９】
【数２】
2004341414.tif 000004
【００２０】
また、上記図４において示したように、かかる従来のアクティブマトリックス型液晶表示装置では、液晶表示パネル１内部の配線抵抗及び寄生容量の影響を受けるため、ゲート電極駆動回路３００出力側から離れる場合、ゲートＯＮ出力波形は、徐々に波形が遅延する。
【００２１】
図４（ａ）〜（ｃ）に示されたそれぞれの位置における遅延波形について説明する。まず、ゲート電極駆動回路３００の接続されている側の直前の地点での、ゲートバスライン信号がＯＮ信号レベルＶＧＨからＯＦＦ信号レベルＶＧＬに変化する際の電位差はΔＶｇと規定される。
【００２２】
しかしながら、液晶表示パネル１中間地点およびゲート電極駆動回路３００出力側と反対側となる地点での、ゲートバスライン信号がＯＮ信号レベルＶＧＨからＯＦＦ信号レベルＶＧＬに変化する際の電位差ΔＶｇは、それぞれ図４（ｂ）に示す信号２８、図４（ｃ）に示す信号２９のように、波形が遅延している。
【００２３】
また、ＴＦＴ素子１０２が完全にＯＦＦ状態となるレベルをレベル３９とした場合、液晶表示パネル１中間地点およびゲート電極駆動回路３００出力側と反対側となる地点において、ＯＮ信号レベルＶＧＨからＴＦＴ素子１０２がＯＦＦ状態になるレベル３９までの電位差を、それぞれΔＶｇ１’、ΔＶｇ２’とし、ＴＦＴ素子１０２がＯＦＦ状態になるレベル３９から、ゲートバスラインからのＯＦＦ信号ＶＧＬまでの電位差を、それぞれΔＶｇ１、ΔＶｇ２とする。この場合、液晶表示パネル１中間地点におけるΔＶｇは（ΔＶｇ１’＋ΔＶｇ１）と表され、また、ゲート電極駆動回路３００出力側と反対側となる地点におけるΔＶｇは（ΔＶｇ２’＋ΔＶｇ２）で表される。
【００２４】
その際、液晶表示パネル１中間地点およびゲート電極駆動回路３００出力側と反対側となる地点において、ゲートバスライン信号がＯＮ信号ＶＧＨから、ＴＦＴ素子１０２がＯＦＦ状態になるレベル３９に至るまでの時間をそれぞれΔｔ１、Δｔ２とする。この時間Δｔ１、Δｔ２での、ゲート電圧の電位の変化ΔＶｇ１’、ΔＶｇ２’が電極Ｄ  ５１に与える変動量は、それぞれ下記の数式（３）、（４）で表される。
【００２５】
【数３】
2004341414.tif 000005
【００２６】
【数４】
2004341414.tif 000006
【００２７】
このΔｔ１、Δｔ２の期間では、ＴＦＴ素子１０２は、半ＯＮの状態であり、上述の電位の変動ΔＶ１’およびΔＶ２’の影響は殆ど無くなってしまう。したがって、引続き電極Ｄ  ５１には、ソースバスラインからの電圧が印加されることになる。すなわち、この期間Δｔ１、Δｔ２では、ＴＦＴ素子１０２が、半ＯＮ状態であり、ソースバスラインからの信号が引続き印加され、絵素電極の電位が保持されているといえる。このため、実際に電極Ｄ  ５１の電位に影響を及ぼすのは、下記の数式（５）、（６）で示すゲート電圧の電位の変化ΔＶｇ１、ΔＶｇ２が電極Ｄ  ５１に与える変動量となる。
【００２８】
【数５】
2004341414.tif 000007
【００２９】
【数６】
2004341414.tif 000008
【００３０】
この従来の一般的な駆動方式のアクティブマトリックス型液晶表示装置における液晶表示パネル１内部の電位の影響を図３に示す。同図に示すように、液晶表示パネル１面内において、このΔＶは一様ではない。図中、左側が画面左側１６を示し、画面左側１６がゲート電極駆動回路３００出力側となる。また、図中、右側は画面右側１７を示す。また、階調電圧センター値１４を太字点線で、対向電圧センター値１５を太字実線で示す。
【００３１】
ここで、例えば、任意の偶数フレームにおいて、ｎライン目のゲートバスライン上の電極Ｄ  ５１の電位に影響を与えている状態を図に表すと、画面左側、中央、画面右側における引き込み量は、それぞれ実線矢印で示した引き込み量１８、２１、２２となる。ここで、引き込み量１８は、大であり、引き込み量２１、２２は、ともに小である。一方、任意の奇数フレームにおいて、同様に電極Ｄ  ５１の電位に与えている状態を図に表すと、画面左側、中央、画面右側における引き込み量は、それぞれ点線矢印で表した引き込み量１９、２０、２３となり、上記の前フレーム時と同じ引き込み量が現れる。ここで、引き込み量１９は、大であり、引き込み量２０、２３は、ともに小である。
【００３２】
すなわち、各フレーム毎に出力を切り替えた場合、画面左側、中央、画面右側における各ポイント（各地点）に表れる引き込み量は、時間軸上で平均化されたものとなり、対向電圧のセンター値１５に対して、それぞれズレ量σ４、σ５、σ６となり、ゲート電極駆動回路３００出力側からの距離が近い場合は、ズレ量は大きく、ゲート電極駆動回路３００出力側からの距離が離れる場合、その差は大きく異なっている。これは、常にゲート電極駆動回路３００出力側の引き込み量が大きく、ゲート電極駆動回路３００出力側の反対側の引き込み量が小さくなるため、液晶表示パネル左右において、対向電圧センター値からのちらつき（以下、フリッカーと称する）のズレ量が大きくなることを意味する。
【００３３】
したがって、液晶表示パネル１面内でのΔＶの変動量が一様でなく、偏りが生じ、それがフリッカーを発生させ、表示品位の低下を発生させるという問題がある。また、交流駆動にオフセットが発生することから、液晶にＤＣ成分が印加され、液晶分子の信頼性の低下、焼付き残像などの不具合を発生させている。
【００３４】
かかるフリッカーを低減させる表示装置および表示方法として、特許文献１に、予めゲート信号のＯＦＦ波形をパネルの寄生容量に合わせた遅延波形を作り出し、ゲートバスラインに印加することで左右の引き込み量ΔＶを一定にしフリッカーを低減する手段が開示されている。
【００３５】
【特許文献１】
特開平１１−２８１９５７号公報（公開日：１９９９年１０月１５日）
【００３６】
【発明が解決しようとする課題】
しかしながら、上記特許文献１に記載の技術では、遅延波形の状態を作り出すために特別な回路の追加が必要である。また、ゲート電圧を故意に操作するための消費電流の増加、並びに液晶の充電時間の一部を使って遅延波形を生成するため、高精細なモデルなどでは、必要な充電時間の確保をすることが難しく実用的ではないという問題点がある。
【００３７】
本発明は、上記の問題点に鑑みてなされたものであり、その目的は、特別の回路の追加を必要とせず、消費電力の増加を防止するとともに、液晶の充電時間を減らすことなく、フリッカーの発生を抑制する液晶表示装置を提供することにある。
【００３８】
【課題を解決するための手段】
以下に説明するフリッカーを解決するための、本発明にかかる液晶表示装置は、例えば、液晶表示パネル上に直接、駆動回路（ゲートドライバ）を作りこむことが可能なＣＧシリコン液晶等のプロセスを用いれば、左右にドライバを作り込んだとしてもコストの増加を伴わずに実現可能であり、消費電流の増加も発生しない。また従来の技術では、高精細モデルには、液晶に充電する時間が不足し実用的ではなかったが、本発明にかかる液晶表示装置においては、液晶の充電時間を減らすことなく、同様の効果が期待できる。
【００３９】
すなわち、本発明にかかる液晶表示装置は、上記の課題を解決するために、一対の基板間に液晶が封入され、複数の画素電極と、該画素電極にデータ信号を供給する映像信号線と、該映像信号線に交差して設けられた複数の走査信号線とを備え、上記走査信号線、上記映像信号線、及び上記画素電極がゲート、ソース、およびドレインにそれぞれ接続された薄膜トランジスタ素子を上記交差部に形成された液晶表示パネルを備えるアクティブマトリクス型液晶表示装置において、上記液晶表示パネルの対向する両辺の辺端部近傍に、走査信号を出力して上記走査信号線を駆動し得る第１駆動回路と第２駆動回路とが上記液晶表示パネルを挟むように設けられており、上記第１駆動回路および第２駆動回路は、同じｎライン目の上記走査信号線を駆動するための走査信号を１フレーム毎に交互に出力することにより、１フレーム毎に交互に上記薄膜トランジスタ素子を駆動することを特徴としている。
【００４０】
上記の構成によれば、あるｎライン目の走査信号線（ゲートバスライン）上の駆動において、液晶表示パネルの両側に配された第１駆動回路および第２駆動回路から各フレーム（走査期間）毎に出力を切り替えた場合、各ポイントに表れる引き込み量は、任意のフレームにおいて第１駆動回路の出力により及ぼされるΔＶの液晶表示パネル内の分布と、次のフレーム時において第２駆動回路の出力による及ぼされるΔＶの液晶表示パネル内の分布と時間軸上で平均化されたものとなり、対向電圧のセンター値に対して、そのｎライン間のズレ量σの差を小さくさせることができる。
【００４１】
すなわち、駆動回路（ゲートドライバ）出力直前のゲートバスライン信号がＯＮ状態からＯＦＦ状態に変化する際に、画素電極（絵素電極）が受ける電位の影響を抑え、液晶表示パネル面内のフリッカーを低減させることができ、表示品位の向上が達成される。さらに、消費電力を抑えることもできるだけでなく、液晶の充電時間を減らすこともない。
【００４２】
したがって、上記の液晶表示装置によれば、特別の回路の追加を必要とせず、消費電力の増加を防止するとともに、液晶の充電時間を減らすことなく、フリッカーを低減させることができ、表示品位の向上を図ることができる。
【００４３】
なお、「液晶表示パネルの両辺の辺端部近傍」とは、第１駆動回路および第２駆動回路が走査信号線を駆動するための走査信号を出力できる、液晶表示パネルにおける辺端部の近傍領域であればよく、特に限定されるものではない。また、「液晶表示パネルの対向する両辺」とは、液晶表示パネルに存在する辺端部のうち、互いに向かい合う２辺をいう。
【００４４】
また、本発明にかかる液晶表示装置は、上記第１駆動回路および第２駆動回路が設けられている液晶表示パネルの対向する両辺とは、上記液晶表示パネルにおける走査信号線の延長方向に対して垂直な両辺であることが好ましい。
【００４５】
上記の構成によれば、走査信号線の端部と第１駆動回路および第２駆動回路とが近接することになるため、第１駆動回路および第２駆動回路と走査信号線とを容易に接続させることができる。
【００４６】
また、本発明にかかる液晶表示装置は、上記第１駆動回路および第２駆動回路は、上記薄膜トランジスタ素子がＯＮ状態、ＯＦＦ状態、および電気的に切り離される状態の３出力の状態のうちいずれか１つの状態を取り得るように、走査信号の出力を制御することを特徴としている。
【００４７】
上記の構成によれば、駆動回路を適切に制御することで、ＴＦＴ素子の状態を切り替えることができる。これによって、より一層、液晶表示パネルの位置におけるゲートバスライン間のズレ量σの差を小さくすることができ、フリッカーを低減させることが可能となる。
【００４８】
なお、上記薄膜トランジスタ素子がＯＮ状態、ＯＦＦ状態、および電気的に切り離される状態の３出力の状態のうちいずれか１つの状態を取りうるように、走査信号の出力を制御する手段としては、例えば、従来公知の選択スイッチによって、上記第１駆動回路または第２駆動回路と走査信号線（ゲートバスライン）との接続状態を変更する手段を挙げることができ、これにより、容易にＴＦＴ素子の出力状態を制御することができる。
【００４９】
また、本発明にかかる液晶表示装置は、上記第１駆動回路および第２駆動回路は、どちらか一方の駆動回路が上記走査信号線と電気的に接続されて走査信号を出力する場合、他方の駆動回路は上記走査信号線と電気的に切り離されることを特徴としている。
【００５０】
上記の構成によれば、任意のフレームにおいて、一方の駆動回路が駆動信号を出力する場合、他方の出力装置は電気的にＯＦＦ状態、すなわち、高インピーダンス状態となる。このため、第１駆動回路と第２駆動回路との切り替えをスムーズに行うことができ、より一層、液晶表示パネルの位置におけるゲートバスライン間のズレ量σの差を小さくすることができ、フリッカーを低減させることが可能となる。
【００５１】
【発明の実施の形態】
本発明の液晶表示装置に関する実施の一形態について図１〜図５に基づいて説明すれば以下のとおりである。本発明にかかる液晶表示装置の基本的な構成は、従来の液晶表示装置と同様であるため、ここでは説明を省略し、本発明にかかる液晶表示装置の特徴的な構成について、図面に従い、以下に詳細に説明する。なお、本発明は、本実施の形態に限定されるものではない。
【００５２】
本実施の形態にかかる液晶表示装置の特徴的な構成を図１に示す。図１は、にＴＦＴ素子を駆動するゲートバスラインが、両側に同数に並行して分割・配置されている構成を示す図である。すなわち、図１は、第１ゲート電極駆動回路（以下、単に第１駆動回路と称する）５２と第２ゲート電極駆動回路（以下、単に第２駆動回路と称する）５３とが、液晶表示パネル（不図示）を挟むように、液晶表示パネルの対向する両辺の近傍領域に同数に並行して分割・配置されており、ゲートバスラインＧｎ  ５４、ゲートバスラインＧｎ＋１  ５５、ゲートバスラインＧｎ＋２  ５６、・・・と接続されている構成を示している。なお、本実施の形態では便宜上、図中左側を液晶表示パネル画面左側、図中右側を液晶表示パネル画面右側とし、第１駆動回路５２は液晶表示パネル左側に配置されており、第２駆動回路５３は液晶表示パネル右側に配置されていることとするが、これに限定されるものではない。また、上記第１駆動回路および第２駆動回路（ゲートドライバ）は、ＣＧシリコン液晶等のプロセスを用いることにより、液晶表示パネル上に直接作りこむことが好ましい。
【００５３】
ある任意のフレームにおいて、第１駆動回路５２がアクティブの状態の場合を考える。例えば、図１に示すように、第１駆動回路５２内部の選択スイッチ６１において、ゲートバスラインＧｎ  ５４は、ＶＧＨ  ５７と電気的に接続しており、ゲートバスラインＧｎ  ５４には、ＴＦＴ素子をＯＮ状態にするのに十分なＴＦＴ  ＯＮ信号（ゲートオン電圧）が入力されている。また、第１駆動回路５２内部の選択スイッチ６２において、ゲートバスラインＧｎ＋１  ５５は、ＶＧＬ  ５８と電気的に接続しており、ゲートバスラインＧｎ＋１  ５５には、ＴＦＴ素子をＯＦＦ状態にするのに十分なＴＦＴ  ＯＦＦ信号（ゲートオフ電圧）が入力されている。また、第１駆動回路５２内部の選択スイッチ６３において、ゲートバスラインＧｎ＋２  ５６は、ＶＧＬ  ５８と電気的に接続しており、ゲートバスラインＧｎ＋２  ５６には、ＴＦＴ素子をＯＦＦ状態にするのに十分なＴＦＴ  ＯＦＦ信号（ゲートオフ電圧）が入力されている。
【００５４】
かかる場合、液晶表示パネルを介して第１駆動回路５２の反対側に配置された第２駆動回路５３の全出力状態は、第２駆動回路５３内部の選択スイッチ６４、６５、６６において、各ゲートバスラインＧｎ  ５４、ゲートバスラインＧｎ＋１  ５５、ゲートバスラインＧｎ＋２  ５６、・・・と電気的に切り離された高インピーダンス状態となっている。
【００５５】
ここで、従来技術の説明に用いた図５を参考にして、本実施の形態にかかる液晶表示装置において、ｎライン目のゲートバスラインとｍライン目のソースバスラインのＴＦＴ素子及び対向電極に印加される電圧の状態を見ていく。図５に示すように、ｎライン目のゲートバスライン４３とｍライン目のソースバスラインとが交差する部分に電気的に接続されたＴＦＴ素子１０２が配置されている。
【００５６】
当該ＴＦＴ素子１０２が、ｎライン目のゲートバスライン４３からＴＦＴ  ＯＮ信号を受け取ると、電極Ｇ  ４９は、ＴＦＴ素子１０２を介して、電極Ｓ  ５０と電極Ｄ  ５１との間を導通状態にする。
【００５７】
その際、ｍライン目のソースバスライン４２から送られる任意の電位が、電極Ｓ  ５０を介して電極Ｄに伝わり、液晶４６間および補助容量４７間に印加される。
【００５８】
所定の電圧が、液晶４６および補助容量４７間に印加された後、ｎライン目のゲートバスライン４３は、再びＯＦＦ信号状態に戻り、ＴＦＴ  ＯＦＦ信号を受け取った電極Ｇ４９は直ちに、ＴＦＴ素子１０２を介して、電極Ｓ  ５０と電極Ｄ  ５１との間を不通状態とし、液晶４６および補助容量４７には、所定の電位が保持される。
【００５９】
しかしながら、ＴＦＴ素子１０２には、寄生容量Ｃｇｄ  ４５が存在しており、上述のように、ゲートバスライン信号がＯＮ状態からＯＦＦ状態に変化する際に、その電位差をΔＶｇとすると、電極Ｄ  ５１の電位に影響を与えることになる。このため、本実施の形態にかかる液晶表示装置の液晶表示パネル面内において、上記数式（２）で示されるΔＶは一様ではなくなる。
【００６０】
ここで、図２に本実施の形態にかかる液晶表示装置における液晶表示パネル内部の電位の影響を示す。図中、階調電圧センター値１は太字点線で、対向電圧センター値２は、太字実線で示す。また、図中、左側は液晶表示パネル画面左側３を表し、右側は液晶表示パネル画面右側４を表している。また、液晶表示パネル画面左側３からゲート出力した場合、すなわち、第１駆動回路５２からゲート出力した場合の電圧の引き込み量の分布を実線で表し、第２駆動回路５３からゲート出力した場合の電圧の引き込み量の分布を点線で表す。
【００６１】
ここで、第１駆動回路からゲート出力された場合、図５に示す回路図における、ｎライン目のゲートバスライン４３上の電極Ｄ  ５１の電位に影響を与えている状態を図２中に表すと、液晶表示パネル画面の左側３、中央、右側４の順に、図中実線矢印で表す引き込み量６、８、９となる。この引き込み量６の値は、大であり、引き込み量８、９の値は、ともに小である。これは、画面左側３に近い場合、すなわちゲート出力している第１駆動回路からの距離が近い場合は、引き込み量が大きくなるが、一方、画面左側３から離れ画面右側４に近づく場合、すなわち、ゲート出力している第１駆動回路からの距離が長くなる場合、引き込み量が小さくなることを示す。
【００６２】
続いて、本実施の形態にかかる液晶表示装置において、同様に次のフレームでは、第１駆動回路５２の全出力状態が、ゲートバスラインと電気的に切り離された高インピーダンス状態となり、他方の第２駆動回路５３がアクティブな状態になる。
【００６３】
すなわち、図示しないが、例えば、図１において、第２駆動回路５３内部の選択スイッチ６４において、ゲートバスラインＧｎ  ５４は、ＶＧＨ  ６０と電気的に接続しており、ゲートバスラインＧｎ  ５４には、ＴＦＴ素子をＯＮ状態にするのに十分なＴＦＴ  ＯＮ信号（ゲートオン電圧）が入力されている。また、第２駆動回路５３内部の選択スイッチ６５において、ゲートバスラインＧｎ＋１  ５５は、ＶＧＬ  ５９と電気的に接続しており、ゲートバスラインＧｎ＋１  ５５には、ＴＦＴ素子をＯＦＦ状態にするのに十分なＴＦＴ  ＯＦＦ信号（ゲートオフ電圧）が入力されている。また、第２駆動回路５３内部の選択スイッチ６６において、ゲートバスラインＧｎ＋２  ５６は、ＶＧＬ  ５９と電気的に接続しており、ゲートバスラインＧｎ＋２  ５６には、ＴＦＴ素子をＯＦＦ状態にするのに十分なＴＦＴ  ＯＦＦ信号（ゲートオフ電圧）が入力されている。
【００６４】
かかる場合、液晶表示パネルを介して第２駆動回路５３の反対側に配置された第１駆動回路５２の全出力状態は、第１駆動回路５２内部の選択スイッチ６１、６２、６３において、各ゲートバスラインＧｎ  ５４、ゲートバスラインＧｎ＋１  ５５、ゲートバスラインＧｎ＋２  ５６、・・・と電気的に切り離された高インピーダンス状態となっている。
【００６５】
このとき、本実施の形態にかかる液晶表示装置の液晶表示パネル面内において、上記数式（２）で示されるΔＶは一様ではなくなる。また、この第２駆動回路からゲート出力された場合の、図５に示す回路図における、ｎライン目のゲートバスライン４３上の電極Ｄ  ５１の電位に影響を与えている状態を図２に表すと、液晶表示パネル画面の右側４、中央、左側３の順に、図２中点線矢印で表した引き込み量１０、７、５となる。この引き込み量１０の値は、大であり、引き込み量７、５の値は、ともに小である。これは、画面右側４に近い場合、すなわちゲート出力している第２駆動回路５３からの距離が近い場合は、引き込み量が大きくなるが、一方、画面右側４から離れ画面左側３に近づく場合、すなわち、ゲート出力している第２駆動回路５２からの距離が長くなる場合、引き込み量が小さくなることを示す。
【００６６】
したがって、本実施の形態にかかる液晶表示装置において、各フレーム毎に、第１駆動回路５２からゲートバスラインＧｎへの出力と、第２駆動回路５３からゲートバスラインＧｎへの出力とを切り替える場合、液晶表示パネルにおける各地点に表れる引き込み量は、時間軸上で平均化されたものとなり、対向電圧のセンター値２に対して、そのズレ量σ１、σ２、σ３の差は小さくなっている。
【００６７】
すなわち、本実施の形態にかかる液晶表示装置によれば、各フレーム毎に、液晶表示パネルの左側に設置した第１駆動回路５２からゲートバスラインＧｎへの出力と、液晶表示パネルの右側に設置した第２駆動回路５３からゲートバスラインＧｎへの出力とを切り替えることにより、第１駆動回路５２からゲートバスラインＧｎへ出力した場合の引き込み量と、第２駆動回路５３からゲートバスラインＧｎへ出力した場合の引き込み量とが、液晶表示パネル画面の左右で時間的にバランスされる。このため、液晶表示パネル左右において、対向電圧センター値からのフリッカーのズレ量の差が低減することになる。
【００６８】
以上のことから、本実施の形態にかかる液晶表示装置によれば、液晶表示装置におけるデート電極駆動回路からの距離の違いによって、液晶表示パネル上に生じるフリッカーを低減させることができるため、表示品位を著しく向上させることができる。
【００６９】
また、本発明にかかる液晶表示装置は、ガラス等の透光性の絶縁材料からなる２枚の基板で挟持された液晶層と、表示面の裏側に光を照射する手段として、少なくとも液晶層に均一に光が照射されるように、光源と光を液晶層の全体に行き渡らせ、かつその光量が一定になるように制御された導光板からなり、一方の基板にはゲートバスライン及びソースバスラインが互いに直交し、マトリクス状に互いに電気的に絶縁を持った形で高密度に配線され、各交点近傍には、ＴＦＴ素子、絵素電極からなる画素が各々マトリクス内に設けられ、それぞれのＴＦＴ素子には、ゲートバスライン、ソースバスライン、絵素電極が電気的に接続されている事を具備し、２枚のパネルは、周辺部を封止材で接着し、その間に液晶層を挟持されたアクティブマトリクス型液晶表示装置において、上記ＴＦＴ素子を駆動するゲートバスラインが、両側に同数に並行して分割・配置され、そのそれぞれのゲートバスライン信号は、同じｎライン目のゲート信号を１フレーム毎に交互に切り替えて当該ＴＦＴ素子を駆動することを特徴とする液晶表示装置と換言できる。
【００７０】
また、本発明にかかる液晶表示装置は、上記の構成に加え、前記に示されるアクティブマトリクス型液晶表示装置において、ゲートドライバの出力状態が、ＴＦＴ素子をＯＮ状態、ＯＦＦ状態さらに、電気的に切り離す状態、すなわち３出力の状態を取りうることが好ましいと換言できる。
【００７１】
また、本発明にかかる液晶表示装置は、上記の構成に加え、液晶パネルと該液晶パネルを駆動するドライバ回路を備えた液晶表示装置において、あるフレームでは片側のゲートドライバが駆動信号を出力し、他方のゲートドライバの出力側では、ＯＦＦ状態（高インピーダンス）となり、ゲートバスラインと電気的に切り離すことが好ましいと換言できる。
【００７２】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【００７３】
【発明の効果】
本発明の液晶表示装置は、以上のように、アクティブマトリクス型液晶表示装置において、液晶表示パネルの対向する両辺の辺端部近傍に、走査信号を出力して走査信号線を駆動し得る第１駆動回路と第２駆動回路とが上記液晶表示パネルを挟むように設けられており、上記第１駆動回路および第２駆動回路は、同じｎライン目の上記走査信号線を駆動するための走査信号を１フレーム毎に交互に出力することにより、１フレーム毎に交互に上記薄膜トランジスタ素子を駆動するという構成である。
【００７４】
それゆえ、あるｎライン目のゲートバスライン上の駆動において、両側に配されたゲートドライバから各フレーム毎に出力を切り替えた時、各ポイントに表れる引き込み量は、あるフレームにおいて片側のゲートドライバ出力により及ぼされるΔＶのパネル内の分布と、次のフレーム時には他方のゲートドライバ出力による及ぼされるΔＶのパネル内の分と時間軸上で平均化されたものとなり、対向電圧のセンター値に対して、そのｎライン間のズレ量σの差を小さくさせることができるという効果を奏する。
【００７５】
したがって、本発明の液晶表示装置によれば、特別の回路の追加を必要とせず、消費電力の増加を防止するとともに、液晶の充電時間を減らすことなく、フリッカーを低減させることができ、表示品位の向上が図られるという効果を奏する。
【図面の簡単な説明】
【図１】本実施の形態にかかる液晶表示装置におけるＴＦＴ素子を駆動するゲートバスラインが、両側に同数に並行して分割・配置されている構成を示す図である。
【図２】本実施の形態にかかる液晶表示装置における液晶表示パネル内部の電位の影響を模式的に示す図である。
【図３】従来の一般的な駆動方式の液晶表示装置における液晶表示パネル内部の電位の影響を模式的に示す図である。
【図４】（ａ）〜（ｃ）は、従来のアクティブマトリックス型液晶表示装置において、液晶表示パネル内部の特定の位置の絵素電極にかかるゲート電極駆動回路（ゲートドライバ）の出力波形の変化を模式的に示す図である。
【図５】一般的なアクティブマトリックス型液晶表示装置におけるＴＦＴ素子周りの等価回路ブロック図である。
【図６】一般的なアクティブマトリックス型の液晶表示装置の構成を模式的に示す図である。
【符号の説明】
１    階調電圧センター値
２    対向電圧センター値
３    図中の画面左側
４    図中の画面右側
４２    ｍライン目のソースバスライン
４３    ｎライン目のゲートバスライン
４４    ｎ＋１ライン目のゲートバスライン
４５    寄生容量Ｃｇｄ
４６    液晶
４７    補助容量Ｃｃｓ
４９    電極Ｇ
５０    電極Ｓ
５１    電極Ｄ
５２    第１駆動回路
５３    第２駆動回路
５４    ｎライン目のゲートバスラインＧｎ
５５    ｎ＋１ライン目のゲートバスラインＧｎ＋１
５６    ｎ＋２ライン目のゲートバスラインＧｎ＋２
５７    第１駆動回路のＶＧＨ
５８    第１駆動回路のＶＧＬ
５９    第２駆動回路のＶＧＬ
６０    第２駆動回路のＶＧＨ
１０２    ＴＦＴ素子
【図１】
2004341414.tif 000009
【図２】
2004341414.tif 000010
【図３】
2004341414.tif 000011
【図４】
2004341414.tif 000012
【図５】
2004341414.tif 000013
【図６】
2004341414.tif 000014